(57)【特許請求の範囲】
【請求項１】
アッパーと、ミッドソールと、面ファスナーと、この面ファスナーによってミッドソールに対して着脱自在とされたアウトソールとを備えており、
このアッパーとミッドソールとが、射出成形法によって一体成形されており、
このミッドソールが、爪先側に位置する薄肉部と、踵側に位置する厚肉部とを備えており、
この厚肉部が空気室を有している釣り用ブーツ。
【請求項２】
上記空気室が、インサイドからアウトサイドにまで至る貫通孔である請求項１に記載のブーツ。
【発明の詳細な説明】
【技術分野】
【０００１】
本発明は、釣り人に着用されるブーツに関する。
【背景技術】
【０００２】
釣りには、ブーツが利用されている。図４は、従来のブーツ２が示された断面図である。このブーツ２は、アッパー４、インソール６、ミッドソール８及びアウトソール１０を備えている。アッパー４とミッドソール８とは、射出成形法にて一体成形されている。このミッドソール８に、接着剤にてアウトソール１０が接合されている。このアウトソール１０では、踵側が爪先側よりも厚い。従って、インソール６は爪先下がりであり、このブーツ２を着用する釣り人の足も爪先下がりである。この姿勢は、釣りに適している。この姿勢の釣り人は、疲れにくい。
【０００３】
このブーツ２のアッパー４とミッドソール８とは、１つの金型において、同時に成形される。このブーツ２の製造コストは、低い。低価格帯のブーツ２に、一体成形されたアッパー４及びミッドソール８が用いられている。
【０００４】
このブーツ２が繰り返し使用されると、アウトソール１０が徐々に摩耗する。摩耗の進行により、ブーツ２は使用に適さなくなる。アウトソール１０が摩耗したブーツ２は、アッパー４、ミッドソール８等が未だ使用に耐えうる状態であっても、廃棄される。このブーツ２の寿命は短い。
【０００５】
アウトソールがミッドソールに対して着脱自在なブーツが、市販されている。このブーツでは、面ファスナーにより、アウトソールがミッドソールに接合されている。このブーツでは、アウトソールの摩耗が進行すると、このアウトソールがミッドソールから剥がされる。そして、新しいアウトソールが、ミッドソールに接合される。着脱タイプのアウトソールは、主として高価格帯のブーツに用いられている。着脱タイプのアウトソールを備えたブーツが、株式会社シマノ発行の「2007 Fishing Tackle Catalogue」の第２２７ページに開示されている。
【非特許文献１】株式会社シマノ発行の「2007 Fishing Tackle Catalogue」
【発明の開示】
【発明が解決しようとする課題】
【０００６】
着脱タイプのアウトソールでは、その厚みはほぼ均一である。図３に示されたミッドソールに着脱タイプのアウトソールが適用されると、インソールがほぼ水平に延在する。従って、釣り人の足は爪先下がりにならない。この姿勢は、釣りに適さない。
【０００７】
ミッドソールの踵側の厚みが大きくされれば、釣り人の足が釣りに適した姿勢となる。しかし、厚いミッドソールの射出成形では、射出直後の凝固収縮等に起因して、ひけが生じやすい。ひけは、ブーツの品質を阻害する。
【０００８】
本発明の目的は、寿命が長く、釣りに適した姿勢が得られ、しかも容易に製造されうる釣り用ブーツの提供にある。
【課題を解決するための手段】
【０００９】
本発明に係る釣り用ブーツは、アッパーと、ミッドソールと、このミッドソールに対して着脱自在なアウトソールとを備える。このアッパーとミッドソールとは、射出成形法によって一体成形されている。このミッドソールは、爪先側に位置する薄肉部と、踵側に位置する厚肉部とを備えている。この厚肉部は、空気室を有している。
【００１０】
好ましくは、空気室は、インサイドからアウトサイドにまで至る貫通孔である。
【発明の効果】
【００１１】
本発明に係るブーツは、アッパーとミッドソールとが射出成形法によって一体成形されるので、容易かつ低コストで製造されうる。このブーツでは、ミッドソールが爪先側に位置する薄肉部と踵側に位置する厚肉部とを備えるので、釣りに適した姿勢が得られる。厚肉部が空気室を有するので、ミッドソールの成形時にひけが生じにくい。
【発明を実施するための最良の形態】
【００１２】
以下、適宜図面が参照されつつ、好ましい実施形態に基づいて本発明が詳細に説明される。
【００１３】
図１は、本発明の一実施形態に係る釣り用ブーツ１２が示された正面図である。図２は、図１のブーツ１２が示された鉛直方向断面図である。このブーツ１２は、アッパー１４、ミッドソール１６、面ファスナー１８、アウトソール２０及びインソール２２を備えている。
【００１４】
アッパー１４は、 典型的には、ポリ塩化ビニルからなる。このアッパー１４は、強度及び剛性に優れる。図示されていないが、アッパー１４には、その内面に位置する裏地が積層されている。アッパー１４が、他の合成樹脂からなってもよい
【００１５】
ミッドソール１６の材質は、アッパー１４の材質と同一である。ミッドソール１６は、アッパー１４と一体成形されている。ミッドソール１６及びアッパー１４は、射出成形法によって得られる。ミッドソール１６は、その外縁にリブ２４を備えている。リブ２４は、下向きに垂下している。
【００１６】
ミッドソール１６は、薄肉部２６と厚肉部２８とを備えている。薄肉部２６は爪先側に位置している。厚肉部２８は、踵側に位置している。厚肉部２８の厚みは、薄肉部２６の厚みよりも大きい。厚肉部２８は、３つの貫通孔３０を備えている。貫通孔３０の数は、適宜決定される。
【００１７】
図３は、図２のIII−III線に沿った断面図である。図３には、ブーツ１２の一部が示されている。図３から明らかなように、貫通孔３０は、ミッドソール１６のインサイド（図３の左側）からアウトサイドにまで至っている。貫通孔３０の一端は、インサイドにおいて開口している。貫通孔３０の他端は、アウトサイドにおいて開口している。貫通孔３０は、大気と連通している。貫通孔３０は、空気室である。図２から明らかなように、貫通孔３０の内周面の断面形状は、円である。他の断面形状を有する貫通孔３０が形成されてもよい。貫通孔３０の形態とは異なる形態の空気室が形成されてもよい。
【００１８】
面ファスナー１８は、フック面３２とループ面３４とを備えている。フック面３２は、接着剤によってミッドソール１６に接合されている。ループ面３４は、接着剤によってアウトソール２０に接合されている。フック面３２がアウトソール２０に接合され、ループ面３４がミッドソール１６に接合されてもよい。典型的な面ファスナー１８は、ベルクロ社のマジックテープ（登録商標）である。ミッドソール１６のリブ２４は、面ファスナー１８よりも下方にまで延在している。
【００１９】
アウトソール２０は、面ファスナー１８によってミッドソール１６と積層されている。アウトソール２０の上部は、リブ２４に囲まれている。リブ２４により、アウトソール２０のミッドソール１６からの意図せぬ離脱が防止される。このアウトソール２０は、フェルトからなる。アウトソール２０が、架橋ゴムからなってもよい。アウトソール２０が、スパイクピンを備えてもよい。アウトソール２０の厚みは、ほぼ均一である。アウトソール２０は、ミッドソール１６に対して着脱自在である。
【００２０】
インソール２２は、板状のベース３６と、このベース３６の周縁においてこのベース３６から起立する側壁３８とを有している。ベース３６は、三次元形状を有する。このインソール２２は、「カップインソール」と称されている。ベース３６は、ミッドソール１６の上面に載置されている。厚肉部２８が薄肉部２６よりも厚いので、ベース３６のうち、厚肉部２８に積層された部分は、薄肉部２６に積層された部分よりも、上方に位置している。
【００２１】
前述の通り、ミッドソール１６及びアッパー１４は、射出成形法によって一体的に成形される。ミッドソール１６及びアッパー１４は、１つの金型によって同時に成形される。厚肉部２８は、成形体の中で最も厚みが大きい。この厚肉部２８に貫通孔３０が存在することで、厚いにもかかわらず、厚肉部２８に凝固収縮によるひけが生じにくい。貫通孔３０により、健全な厚肉部２８が得られうる。このブーツ１２は高品質であり、しかも容易かつ安価に製造されうる。
【００２２】
貫通孔３０は、ブーツ１２のファッション性にも寄与する。貫通孔３０は、ブーツ１２の衝撃吸収性にも寄与する。
【００２３】
厚肉部２８が厚いので、このブーツ１２を着用した釣り人の足は、爪先下がりとなる。この姿勢は、釣りに適している。このブーツ１２は、履き心地に優れる。このブーツ１２を着用した釣り人は、足の疲れを感じにくい。履き心地の観点から、厚肉部２８の最大厚みＴ１と薄肉部２６の最小厚みＴ２との差（Ｔ１−Ｔ２）は５ｍｍ以上２０ｍｍ以下が好ましく、８ｍｍ以上１５ｍｍ以下がより好ましい。
【００２４】
このブーツ１２が繰り返し使用されると、アウトソール２０が摩耗する。摩耗の進行したアウトソール２０は、ミッドソール１６から剥がされる。そして、新しいアウトソール２０が、面ファスナー１８によってミッドソール１６に接合される。アウトソール２０の交換により、このブーツ１２が長期間にわたって使用されうる。このブーツ１２は、経済的である。
【００２５】
材質が異なる複数のアウトソール２０が準備され、釣り場の状況に応じて選択されたアウトソール２０がミッドソール１６に接合されてもよい。釣り人は、１つのブーツを異なる用途に使用することができる。
【００２６】
ひけの抑制の観点から、全ての貫通孔３０の合計体積は２ｃｍ３以上２５ｃｍ３以下が好ましく、５ｃｍ３以上１５ｃｍ３以下がより好ましい。
【産業上の利用可能性】
【００２７】
本発明に係るブーツは、種々の釣り場において利用されうる。このブーツにトラウザーが取り付けられ、ウェーダーが構成されてもよい。
【図面の簡単な説明】
【００２８】
【図１】図１は、本発明の一実施形態に係る釣り用ブーツが示された正面図である。
【図２】図２は、図１のブーツが示された断面図である。
【図３】図３は、図２のIII−III線に沿った断面図である。
【図４】図４は、従来のブーツが示された断面図である。
【符号の説明】
【００２９】
１２・・・釣り用ブーツ
１４・・・アッパー
１６・・・ミッドソール
１８・・・面ファスナー
２０・・・アウトソール
２２・・・インソール
２６・・・薄肉部
２８・・・厚肉部
３０・・・貫通孔
３２・・・フック面
３４・・・ループ面
【図１】
0005265231.tif 000002
【図２】
0005265231.tif 000003
【図３】
0005265231.tif 000004
【図４】
0005265231.tif 000005